(57)【要約】【課題】  画像を正しく認識することができる表示装置を提供する。【解決手段】  画像を表示する第１表示部と、第１表示部とは別に設けられ、画像を表示する第２表示部と、第１表示部の視環境を検出する視環境検出部と、視環境検出部によって検出される視環境で第１表示部に表示される第１画像および第２表示部に表示される第２画像を並べて第２表示部に表示する表示制御部とを備えて、表示装置を構成した。【選択図】  図４
2011066591.tif 000002
【特許請求の範囲】
【請求項１】
画像を表示する第１表示部と、
前記第１表示部とは別に設けられ、画像を表示する第２表示部と、
前記第１表示部の視環境を検出する視環境検出部と、
前記視環境検出部によって検出される視環境で前記第１表示部に表示される第１画像および前記第２表示部に表示される第２画像を並べて前記第２表示部に表示する表示制御部と
を備えることを特徴とする表示装置。
【請求項２】
請求項１に記載の表示装置において、
前記表示制御部によって前記第２表示部に並べて表示される前記第１画像の表示パラメータを調整する調整部と、
前記調整部により調整された表示パラメータを前記第１表示部の表示パラメータに設定する表示設定部と
を備えることを特徴とする表示装置。
【請求項３】
請求項１に記載の表示装置において、
前記表示制御部によって前記第２表示部に並べて表示される前記第２画像の表示パラメータを調整する調整部と、
前記調整部により調整された表示パラメータを前記第２表示部の表示パラメータに設定する表示設定部と
を備えることを特徴とする表示装置。
【請求項４】
被写体像を撮像する撮像部と、
前記撮像部によって撮像される画像を前記第１表示部および前記第２表示部それぞれに表示する請求項１から請求項３のいずれか１項に記載の表示装置と
を備えることを特徴とするカメラ。
【請求項５】
請求項４に記載のカメラにおいて、
前記第１表示部は筐体の表面に配置されたモニタであり、
前記第２表示部は撮影者により覗かれる電子的ファインダであることを特徴とするカメラ。
【発明の詳細な説明】
【技術分野】
【０００１】
本発明は、表示装置およびこれを用いたカメラに関する。
【背景技術】
【０００２】
従来、例えば、特許文献１に開示されたカメラがある。このカメラには２つの表示画面が備えられている。２つの表示画面のうちの一方の表示画面は、カメラ本体の側面または背面に装備される数インチサイズの直視型表示素子から構成され、他方の表示画面は、小型の液晶パネル等に表示された画像を撮影者が覗き込む電子ビューファインダから構成される。これら各表示画面には、１つの走査型の表示機構によって同一の画像が表示される。
【先行技術文献】
【特許文献】
【０００３】
【特許文献１】特開２００５−１０７３６１号公報
【発明の概要】
【発明が解決しようとする課題】
【０００４】
しかしながら、一方の表示画面に表示される画像の視環境と他方の表示画面に表示される画像の視環境とが異なると、使用者は画像を正しく認識することができない場合があった。
【課題を解決するための手段】
【０００５】
本発明はこのような課題を解決するためになされたもので、
請求項１に記載の表示装置は、
画像を表示する第１表示部と、
第１表示部とは別に設けられ、画像を表示する第２表示部と、
第１表示部の視環境を検出する視環境検出部と、
視環境検出部によって検出される視環境で第１表示部に表示される第１画像および第２表示部に表示される第２画像を並べて第２表示部に表示する表示制御部と
を備えることを特徴とする。
【発明の効果】
【０００６】
本発明によれば、画像を正しく認識することができる。
【図面の簡単な説明】
【０００７】
【図１】本発明の一実施の形態によるデジタルカメラの正面斜視図である。
【図２】図１に示すデジタルカメラの背面図である。
【図３】図１に示すデジタルカメラの電気回路構成の概略を示すブロック図である。
【図４】図１に示すデジタルカメラの背面モニタに表示される第１の画像とＥＶＦに表示される第２の画像とを比較表示したＥＶＦ画面を示す図である。
【図５】図４に示す比較表示の変形例によるＥＶＦ画面を示す図である。
【発明を実施するための形態】
【０００８】
本発明による表示装置をデジタルカメラに適用した場合における、本発明を実施するための一形態について説明する。
【０００９】
図１は、この一実施の形態によるデジタルカメラ１の外観を示す正面斜視図である。
【００１０】
デジタルカメラ１は、筐体を構成するカメラボディ２の正面中央部に、被写体からの光を撮像素子に導く光学レンズユニット３が設けられている。光学レンズユニット３は、カメラボディ２と一体に、または他の光学レンズユニットと交換可能に設けられる。また、光学レンズユニット３の左上方にはシャッターボタン４、右上方には発光ダイオード（ＬＥＤ）からなるセルフタイマランプ５が設けられている。シャッターボタン４は、半押しされるとオートフォーカス（Auto Focus）機能を作動させ、全押しされると予め設定されたシャッター速度でシャッターを開かせ、被写体像を撮像素子に所定時間露光させて被写体像の撮像を行わせる。また、シャッターボタン４後方のカメラボディ２の肩部上面には、撮影時の種々の情報が表示される撮影情報表示パネル６が設けられており、反対の肩部上面には、種々の撮影モードを設定するための撮影モードダイヤル７が設けられている。また、カメラボディ２の中央上部には、被写体を照明する照明装置などのアクセサリを取り付けるためのアクセサリシュー８が設けられている。
【００１１】
図２は、図１に示すデジタルカメラ１の外観を示す背面図である。なお、同図において図１と同一部分には同一符号を付してその説明は省略する。
【００１２】
デジタルカメラ１には、画像を表示する第１表示部を構成する背面モニタ１１と、この背面モニタ１１とは別に設けられ、画像を表示する第２表示部を構成する電子的ファインダ（以下、ＥＶＦ（Electronic View Finder）と記す）１２とが備えられている。背面モニタ１１は、ＴＦＴ（Thin Film Transistor）液晶などからなり、カメラボディ２の背面略中央の筐体表面に配置されている。この背面モニタ１１には、光学レンズユニット３を介して撮像素子で撮像される画像であるいわゆるスルー画像や、再生画像、撮影に関する種々の情報などが表示される。ＥＶＦ１２は、ＴＦＴ液晶などからなる小型の液晶モニタがファインダ内部に配置されて、背面モニタ１１の上方に設けられている。この小型の液晶モニタには、スルー画像や、撮影に関する種々の情報などが表示され、接眼レンズによって拡大表示される。撮影者は、ＥＶＦ１２を覗くことによって小型の液晶モニタに表示される画像を視認することができる。
【００１３】
また、背面モニタ１１の左側には、デジタルカメラ１の各種設定を行うメニュー画面を背面モニタ１１に表示させる際などに操作されるメニューボタン１３、撮影情報を背面モニタ１１に表示させる際などに操作される情報表示ボタン１４、背面モニタ１１に表示される撮影画像の縮小表示やサムネイル表示の際などに操作される縮小／サムネイルボタン１５、および撮影画像の拡大表示の際などに操作される拡大ボタン１６が設けられている。
【００１４】
また、カメラボディ２の右側上部には、露出値や、シャッタースピード、ＩＳＯ（International Organization for Standardization）感度などを設定するためのコマンドダイヤル１７が設けられており、その下方には、メニュー画面におけるメニュー項目の選択操作などを行うマルチセレクタ１８が設けられている。マルチセレクタ１８は、環状に形成された方向キー１８ａと、その中央に設けられた決定ボタン１８ｂとから構成されている。方向キー１８ａは、背面モニタ１１に表示されたメニュー画面などにおいて、撮影者が設定したい項目を選択する際に、上下左右方向に押下操作される。決定ボタン１８ｂは、方向キー１８ａを操作して選択した項目を決定する際に、押下操作される。なお、これら各ボタンが設置されている場所や、各ボタンに備えられた機能、役割などは一例であり、適宜変更可能である。
【００１５】
また、背面モニタ１１の右側上方には、照度センサ１９および測色センサ２０が設けられている。照度センサ１９は、背面モニタ１１の表示面周囲の輝度を検出し、測色センサ２０は、背面モニタ１１の表示面周囲の色を検出する。これらセンサ１９，２０は、第１表示部、本実施形態では背面モニタ１１の視環境を検出する視環境検出部を構成している。
【００１６】
図３は、本実施形態によるデジタルカメラ１の電気回路構成の概略を示すブロック図である。なお、同図において図１および図２と同一部分には同一符号を付して説明する。
【００１７】
デジタルカメラ１は、ＣＰＵ（Central Processing Unit）２１、ＥＥＰＲＯＭ（Electrically Erasable Programmable Read Only Memory）などで構成される不揮発性メモリ２２、およびＲＡＭ（Random Access Memory）などで構成されるバッファメモリ２３を備えている。不揮発性メモリ２２には、ＣＰＵ２１が種々の制御を行う際に参照される制御プログラムなどが格納されている。ＣＰＵ２１は、不揮発性メモリ２２に格納されている制御プログラムに従い、バッファメモリ２３を一時記憶作業領域として回路各部の制御を行う。
【００１８】
光学レンズユニット３を構成するズームレンズ２４およびフォーカスレンズ２５を介して導かれた光は、ＣＣＤ（Charge Coupled Device）やＣＭＯＳ（Complementary Metal Oxide Semiconductor）などからなる撮像素子２６の撮像面２６ａ上に被写体像を投影する。光学レンズユニット３は、撮像素子２６の撮像面２６ａに被写体像を投影する光学系を構成しており、撮像素子２６は、被写体光を光電変換して被写体像を撮像し、撮像データを電気的に出力する撮像部を構成している。ズームレンズ２４およびフォーカスレンズ２５は、モータ２７，２８がＣＰＵ２１の制御によってそれぞれ駆動されることにより、矢示するように光軸上を前後に移動する。ズームレンズ２４が光軸上を移動することにより、光学レンズユニット３によって撮像面２６ａ上に投影される被写体像は拡大または縮小され、光学ズームの拡大倍率が調節される。また、フォーカスレンズ２５が光軸上を移動することにより、光学レンズユニット３によって撮像面２６ａ上に投影される被写体像のピントが調節される。モータ２７，２８によって移動した各レンズ２４，２５の光軸上の位置は、位置検出部２９，３０により検出されて、ＣＰＵ２１に出力される。モータ２８、位置検出部３０およびＣＰＵ２１は、撮像素子２６に被写体像を投影する光学レンズユニット３の焦点を調節する焦点調節部を構成している。
【００１９】
撮像素子２６の撮像面２６ａ上に結像した被写体像は、アナログの撮像信号に変換され、Ａ／Ｄ変換部３１においてデジタル信号に変換される。画像処理部３２は、Ａ／Ｄ変換部３１でデジタル信号に変換された撮像信号をバス３３を介して取得し、取得した撮像信号に対して、ホワイトバランス処理やガンマ補正などの画像処理を行い、圧縮処理を行って撮像された画像の画像データを生成する。画像処理部３２によって生成された画像データは、ＣＰＵ２１により、バッファメモリ２３に格納されると共に、Ｉ／Ｆ部３４を介して、図示しないスロットに着脱されるカードメモリなどの記録媒体３５に保存される。
【００２０】
バッファメモリ２３に格納された画像データは、ＣＰＵ２１の制御によりモニタドライバ３７によって読み出されて、撮像素子２６によって撮像される被写体像の構図を確認するためのスルー画像が背面モニタ１１に表示される。また、ＣＰＵ２１の制御によりＥＶＦドライバ３８によって読み出されて、スルー画像がＥＶＦ１２に表示される。
【００２１】
また、ＣＰＵ２１には操作部３６が接続されている。この操作部３６は、上述したシャッターボタン４，撮影モードダイヤル７，メニューボタン１３，情報表示ボタン１４，縮小／サムネイルボタン１５，拡大ボタン１６，コマンドダイヤル１７およびマルチセレクタ１８などからなる。
【００２２】
また、ＣＰＵ２１には、上述した照度センサ１９および測色センサ２０が接続されており、照度センサ１９によって検出された背面モニタ１１の表示面周囲の輝度値、および、測色センサ２０によって検出された背面モニタ１１の表示面周囲の測色値が、これら照度センサ１９および測色センサ２０から入力される。ＣＰＵ２１および画像処理部３２は、これらの値から、背面モニタ１１の周囲の視環境の影響を受けて背面モニタ１１に表示されるであろうスルー画像をシミュレートし、シミュレートした画像をバッファメモリ２３に格納する。バッファメモリ２３に格納された背面モニタ１１のシミュレート画像は、メニューボタン１３の操作によって背面モニタ１１に表示されるメニュー画面において、シミュレーション比較表示の項目が選択されることで、ＥＶＦ１２に、ＥＶＦ１２に表示される縮小されたスルー画像と並べられて比較表示される。
【００２３】
図４は、シミュレーション比較表示が選択操作された際に、ＣＰＵ２１の制御の下、ＥＶＦドライバ３８によってＥＶＦ１２に表示される表示画面を表したものである。同図（ａ）は、照度センサ１９によって検出された背面モニタ１１の視環境が明るい場合、同図（ｂ）は、照度センサ１９によって検出された背面モニタ１１の視環境が暗い場合のＥＶＦ１２の表示画面である。
【００２４】
これらの表示画面には、バッファメモリ２３に格納された背面モニタ１１のシミュレート画像を第１画像４１とし、ＥＶＦ１２に表示されるスルー画像を第２画像４２として、第１画像４１と第２画像４２とが並べて表示されている。ＣＰＵ２１およびＥＶＦドライバ３８は、照度センサ１９および測色センサ２０によって検出される視環境で背面モニタ１１に表示される第１画像４１、およびＥＶＦ１２に表示される第２画像４２を並べてＥＶＦ１２に表示する表示制御部を構成している。また、第１表示部および第２表示部を構成する背面モニタ１１およびＥＶＦ１２、視環境検出部を構成する照度センサ１９および測色センサ２０、並びにこの表示制御部は表示装置を構成しており、デジタルカメラ１は、撮像部を構成する撮像素子２６とこの表示装置とを備えている。
【００２５】
第１画像４１は点線枠の内側領域に第２画像４２と同じ大きさで表示され、点線枠の外側領域には、撮影者に視環境の明るさを伝えるための擬似的な視環境表示領域４３が表示されている。この視環境表示領域４３は、同図（ａ）に示すように、背面モニタ１１の視環境が明るい場合には明るく、同図（ｂ）に示すように、背面モニタ１１の視環境が暗い場合には暗く、表示される。
【００２６】
また、並べて表示された第１画像４１と第２画像４２の下には、第１画像４１および第２画像４２の表示パラメータ、例えば、画像の輝度、色、およびコントラストなどを調整するための設定項目が表示される。「ＥＶＦ」および「背面」と並んで記された表示部選択項目は、表示パラメータの調整対象となる背面モニタ１１またはＥＶＦ１２のいずれか一方を、方向キー１８ａの左右操作によって選択する設定項目である。同図（ａ）に示すように、「背面」と記された表示部選択項目が、方向キー１８ａの右操作によってカーソル４４が移動されて選択され、決定ボタン１８ｂが押下操作されると、表示パラメータの調整対象として背面モニタ１１が選択され、「背面」と記された表示部選択項目が斜線で示されるようにハイライト表示される。また、同図（ｂ）に示すように、「ＥＶＦ」と記された表示部選択項目が、方向キー１８ａの左操作によってカーソル４４が移動されて選択され、決定ボタン１８ｂが押下操作されると、表示パラメータの調整対象としてＥＶＦ１２が選択され、「ＥＶＦ」と記された表示部選択項目が斜線で示されるようにハイライト表示される。表示部選択項目の下には、輝度，Ｒ（赤），Ｇ（緑），Ｂ（青），およびコントラストの５つの調整パラメータ項目が表示されている。これらの調整パラメータ項目は、当初デフォルト値として所定の百分率［％］に設定されている。
【００２７】
表示パラメータの調整は、表示部選択項目が設定された後、方向キー１８ａの上下操作により、希望する調整パラメータ項目にカーソルを移動させて、行われる。例えば、「輝度」を上下させる調整を行う場合は、方向キー１８ａの下を１回押下操作することによってカーソル４４を表示部選択項目から調整パラメータ項目の「輝度」に移動させた後、方向キー１８ａを左右操作して輝度の設定値を上下させる。この際、ＣＰＵ２１は、輝度が上下させられた分だけバー４５の黒塗り部分の長さを増減させると共に、バー４５の右側に表示されている輝度の百分率［％］も増減させる。ＣＰＵ２１は、この設定値の増減に応じて、ＥＶＦドライバ３８によってＥＶＦ１２に並べて表示される第１画像４１または第２画像４２の輝度をリアルタイムに変化させる。残りの４つの調整パラメータ項目についても、マルチセレクタ１８の同様な操作によって調整され、調整された表示パラメータは第１画像４１または第２画像４２の表示にリアルタイムに反映される。
【００２８】
ＥＶＦ１２の表示は接眼部によって覆われて撮影者によって覗き込まれて視認されるため、視環境の影響を受け難い。従って、一般的にはＥＶＦ１２に表示されるスルー画像の方が、背面モニタ１１に表示されるスルー画像よりも実際の被写体像に近い見え方になる。このため、撮影者は、第１画像４１と第２画像４２とを見比べながら、第１画像４１について必要な表示パラメータの調整を行い、背面モニタ１１の周囲の視環境の影響を受けた第１画像４１を、視環境の影響を受け難い第２画像４２と同じように視認できる最適な値に調整する。そして、この調整をし終えると、決定ボタン１８ｂを押下操作する。ＣＰＵ２１は、決定ボタン１８ｂが押下操作されると、調整された各表示パラメータの値を不揮発性メモリ２２に記憶させ、これを読み出してモニタドライバ３７に備えられているドライバメモリに書き込む。従って、背面モニタ１１には、モニタドライバ３７のドライバメモリに新たに記憶された表示パラメータの値に基づいて、スルー画像が表示されるようになる。
【００２９】
一般的には、上述したように、背面モニタ１１の表示がＥＶＦ１２の表示に近づけられる調整が行われる。しかし、同図（ｂ）に示すように、背面モニタ１１の視環境が暗く、ＥＶＦ１２の視環境も暗い場合、ＥＶＦ１２に表示されるスルー画像が明るく表示されてしまい、背面モニタ１１に表示されるスルー画像の方が、ＥＶＦ１２に表示されるスルー画像よりも実際の被写体像の見え方に近い場合がある。このような場合には、ＥＶＦ１２の表示を背面モニタ１１の表示に近づける調整を行う必要がある。この場合、撮影者は、方向キー１８ａを左操作し、カーソル４４を同図（ｂ）に示すように「ＥＶＦ」の表示部選択項目に移動させ、表示パラメータの調整対象をＥＶＦ１２に設定する。続いて、上述した背面モニタ１１の場合と同様の操作を方向キー１８ａを使って行い、調整パラメータ項目を選択して調整する。そして、決定ボタン１８ｂを押下操作してその調整した表示パラメータの値を不揮発性メモリ２２に記憶させ、ＥＶＦドライバ３８のドライバメモリに書き込ませる。従って、ＥＶＦ１２には、ＥＶＦドライバ３８のドライバメモリに新たに記憶された表示パラメータの値に基づいて、スルー画像が表示されるようになる。
【００３０】
マルチセレクタ１８は、表示制御部によってＥＶＦ１２に並べて表示される第１画像４１または第２画像４２の表示パラメータを調整する調整部を構成しており、ＣＰＵ２１は、調整部により調整された表示パラメータを背面モニタ１１またはＥＶＦ１２の表示パラメータに設定する表示設定部を構成している。
【００３１】
このような本実施形態のデジタルカメラ１によれば、撮像素子２６によって撮像されるスルー画像が、デジタルカメラ１の背面モニタ１１とＥＶＦ１２の２つの表示部に表示される。このため、視環境の影響を受けて背面モニタ１１に表示されるスルー画像とＥＶＦ１２に表示されるスルー画像との違い、または、視環境の影響を受けてＥＶＦ１２に表示されるスルー画像と背面モニタ１１に表示されるスルー画像との違いを、これらを第１画像４１および第２画像４２として図４に示すように並べて表示するＥＶＦ１２で比較して認識することで、撮影者は、視環境の影響を受けた背面モニタ１１またはＥＶＦ１２に表示されるスルー画像を視認することによっても、実際の被写体像の見え方を推測して認識することができる。
【００３２】
また、本実施形態のデジタルカメラ１によれば、ＥＶＦ１２に並べて表示された第１画像４１と第２画像４２とを比較しながら、第１画像４１の表示パラメータを第２画像４２と同じように視認できる最適な値に調整し、背面モニタ１１の表示パラメータに設定することにより、撮影者は、視環境の影響を受ける背面モニタ１１のスルー画像を視認することでも、推測することなく実際の被写体像の見え方を認識することができるようになる。また、第２画像４２の表示パラメータを第１画像４１と同じように視認できる最適な値に調整し、ＥＶＦ１２の表示パラメータに設定することにより、撮影者は、視環境の影響を受けるＥＶＦ１２のスルー画像を視認することでも、推測することなく実際の被写体像の見え方を認識することができるようになる。このため、視環境の影響を受ける背面モニタ１１またはＥＶＦ１２のスルー画像を視認して撮像操作を行っても、撮影者の意に沿った画像が撮像される。この結果、例えば、視環境の明るい背面モニタ１１に表示される明るいスルー画像を視認して撮像操作を行い、撮像した画像が実際には暗くて、撮影者の意に反した画像が撮れてしまう失敗がなくなる。
【００３３】
なお、上記実施形態では、図４において、第１画像４１と第２画像４２を横に並べて比較表示する場合について説明したが、本発明はこれに限られることはない。例えば、図５に示すように、ＥＶＦ１２の表示画面の左側に表示部選択項目および調整パラメータ項目を表示させ、これらの右側に第１画像４１と第２画像４２とを縦に並べて比較表示するようにレイアウトしてもよい。なお、図５において図４と同一部分には同一符号を付してその説明は省略する。このような構成によっても、上記実施形態と同様な作用・効果が奏される。
【００３４】
また、上記実施形態では、第１画像４１と第２画像４２をＥＶＦ１２に比較表示させる場合について説明したが、本発明はこれに限られることはない。例えば、ＥＶＦ１２ではなく背面モニタ１１の表示画面に、図４または図５に示すように第１画像４１と第２画像４２を比較表示させる構成にしてもよい。この構成によれば、例えば、視環境が暗くてＥＶＦ１２が明る過ぎても、暗い視環境で視認しやすく、実際の被写体像の見え方に近くなる背面モニタ１１を用いて、第１画像４１と第２画像４２を比較表示することにより、上記実施形態と同様な作用・効果が奏される。
【００３５】
また、上記実施形態では、背面モニタ１１およびＥＶＦ１２に、撮像素子２６によって撮像される被写体像の構図を確認するためのスルー画像を表示した場合について説明したが、本発明はこれに限られることはない。例えば、撮影者が予め撮影した画像や、不揮発性メモリ２２に格納されたサンプル画像を、背面モニタ１１およびＥＶＦ１２に表示するように構成してもよい。この構成によれば、予め撮影した画像またはサンプル画像を用いて、背面モニタ１１またはＥＶＦ１２について視環境に応じた表示パラメータの調整を撮影前に行い、撮影時にその調整された表示パラメータで表示されるスルー画像を見ながら構図を取ることにより、撮影者の意に沿った画像が撮像される。
【００３６】
また、上記実施形態では、背面モニタ１１とＥＶＦ１２の表示素子にＴＦＴ液晶を用いた構成について説明したが、本発明はこれに限られることはなく、例えば、有機ＥＬ（Electro Luminescence）などの表示素子を用いて構成してもよい。また、背面モニタ１１については、メムス（ＭＥＭＳ：Micro Electro Mechanical Systems）をシャッターとするマイクロデバイスを使用したマイクロパネルを表示パネルとしてもよい。また、背面モニタ１１とＥＶＦ１２とで異なる表示素子を用いる構成、例えば、背面モニタ１１の表示素子を有機ＥＬとし、ＥＶＦ１２の表示素子をＴＦＴ液晶としてもよい。この際は、同じ画像が有機ＥＬとＴＦＴ液晶とで同じように視認されるように、背面モニタ１１とＥＶＦ１２の各ドライバ３７，３８を設定しておく必要がある。
【００３７】
また、上記実施形態では、背面モニタ１１またはＥＶＦ１２の視環境毎に、それらの表示パラメータをマルチセレクタ１８で調整する構成について説明したが、本発明はこれに限られることはない。例えば、一度調整して設定した視環境から他の視環境に変わった際に、既に調整した表示パラメータの設定を補正して、他の視環境に応じた表示パラメータをデジタルカメラ１が自動的に調整して設定する構成にしてもよい。この場合、各視環境に応じて表示パラメータが設定されたテーブルを不揮発性メモリ２２に格納しておく。そして、例えば、背面モニタ１１の視環境が明るい場合における輝度などの表示パラメータが調整されて設定された後に、照度センサ１９によって背面モニタ１１の視環境が暗いことが検出されると、ＣＰＵ２１が、不揮発性メモリ２２に格納されているテーブルを参照し、既に調整された表示パラメータを補正して、新たな視環境に応じた表示パラメータを求め、求めた表示パラメータをデジタルカメラ１に自動設定するように構成してもよい。この構成によれば、デジタルカメラ１の視環境が変化する毎に表示パラメータを調整する手間が省ける。
【００３８】
また、上記実施形態では、照度センサ１９および測色センサ２０を使って視環境検出部を構成する場合について説明したが、本発明はこれに限られることはない。測色センサ２０は、明るさ，色相，および彩度を測定するため、明るさを測定する照度センサ１９を兼用することができる。従って、測色センサ２０だけで視環境検出部を構成してもよく、この場合、部品点数が削減できて製造コストを低く抑えることができる。
【００３９】
また、上記実施形態では、本発明による表示装置をデジタルカメラ１に適用した場合について説明したが、本発明はこれに限られることはない。例えば、双眼鏡筒を覗きこんで観察物を視認する第１表示部と、この第１表示部と同様の画像データを外付けモニタに出力して視認する第２表示部とを備えた顕微鏡に適用してもよい。また、デジタルカメラで撮影した画像を再生表示する再生画像表示器と、この再生画像表示器から外部に再生画像データを出力してテレビモニタなどに表示させるビューワに本発明を適用してもよい。このような各装置によっても、上記実施形態と同様な作用・効果が奏される。
【００４０】
すなわち、本発明は、
画像を表示する第１表示部と、
第１表示部とは別に設けられ、画像を表示する第２表示部と、
第１表示部の視環境を検出する視環境検出部と、
視環境検出部によって検出される視環境で第１表示部に表示される第１画像および第２表示部に表示される第２画像を並べて第２表示部に表示する表示制御部と
を備えた表示装置に適用することができる。
【００４１】
この構成による表示装置によれば、視環境検出部によって検出される視環境の影響を受けて第１表示部に表示される第１画像、および第２表示部に表示される第２画像が、表示制御部により第２表示部に並べて表示される。従って、観察者は、検出された視環境の影響を受けた画像と視環境の影響を受けていない本来の画像とを１つの表示部で比較することにより、視環境による画像の視認の違いを認識することができる。このため、この違いを認識することで、視環境の影響を受けた画像を視認することによっても、視環境の影響を受けていない本来の画像を推測して認識することができる。
【００４２】
また、上記の表示装置に、表示制御部によって第２表示部に並べて表示される第１画像の表示パラメータを調整する調整部と、
調整部により調整された表示パラメータを第１表示部の表示パラメータに設定する表示設定部と
を備えるように構成してもよい。
【００４３】
本構成によれば、第２表示部に並べて表示される第１画像の表示パラメータが調整部によって調整され、表示設定部によって第１表示部の表示パラメータに設定される。従って、観察者は、第２表示部に並べて表示された第１画像と第２画像とを比較しながら、第１画像の表示パラメータ、例えば、画像の輝度、色、およびコントラストなどを第２画像と同じように視認できる最適な値に調整し、第１表示部の表示パラメータに設定することができる。このため、第１表示部に表示される画像は、視環境の影響を受けない第２表示部に表示される画像と同じような見え方になり、第１表示部を視認することで、推測することなく本来の画像を認識することができるようになる。
【００４４】
また、上記の表示装置に、表示制御部によって第２表示部に並べて表示される第２画像の表示パラメータを調整する調整部と、
調整部により調整された表示パラメータを第２表示部の表示パラメータに設定する表示設定部と
を備えるように構成してもよい。
【００４５】
本構成によれば、第２表示部に並べて表示される第２画像の表示パラメータが調整部によって調整され、表示設定部によって第２表示部の表示パラメータに設定される。従って、第２表示部の視環境により、第１表示部に表示される画像の方が、第２表示部に表示される画像よりも本来の画像に近い場合、観察者は、第２表示部に並べて表示された第１画像と第２画像とを比較しながら、第２画像の表示パラメータを第１画像と同じように視認できる最適な値に調整し、第２表示部の表示パラメータに設定することができる。このため、このような場合、第２表示部に表示される画像は、本来の画像に近い第１表示部に表示される画像と同じような見え方になり、第２表示部を視認することで、推測することなく本来の画像を認識することができるようになる。
【符号の説明】
【００４６】
１…デジタルカメラ
１１…背面モニタ
１２…ＥＶＦ
１８ａ…方向キー
１８ｂ…決定ボタン
１９…照度センサ
２０…測色センサ
２１…ＣＰＵ
２２…不揮発性メモリ
３７…モニタドライバ
３８…ＥＶＦドライバ
【図１】
2011066591.tif 000003
【図２】
2011066591.tif 000004
【図３】
2011066591.tif 000005
【図４】
2011066591.tif 000006
【図５】
2011066591.tif 000007